【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
IEEE 802.15標準のもとで動作する装置の休止期間を決定し、かつ前記装置の休止期間に無線ローカルエリアネットワーク(WLAN)中のアクセスポイントと通信するように構成された少なくとも1つのプロセッサと、なお、前記少なくとも1つのプロセッサは、前記装置のための送受信期間を示すステータス信号を前記装置から受信し、前記ステータス信号に基づいて前記装置の休止期間を決定し、さらに、前記装置の休止期間に対し、WLANトラヒックが前記休止期間内に制限されることを保証するように少なくとも1つの条件が満たされるかどうかを決定し、前記少なくとも1つの条件が満たされる場合に、前記休止期間に前記アクセスポイントと通信するように構成される；
前記少なくとも1つのプロセッサに結合されたメモリと；
を備えたステーション。
【請求項２】
IEEE 802.15標準のもとで動作する装置の休止期間を決定し、かつ前記装置の休止期間に無線ローカルエリアネットワーク(WLAN)中のアクセスポイントと通信するように構成された少なくとも1つのプロセッサと、なお、前記少なくとも1つのプロセッサは、前記装置によって送信又は受信された伝送の検知を示す測定を得、前記測定に基づいて前記装置の休止期間を決定し、さらに、前記装置の休止期間に対して、WLANトラヒックが前記休止期間内に制限されることを保証するように少なくとも1つの条件が満たされるかどうかを決定し、前記少なくとも1つの条件が満たされる場合に、前記休止期間に前記アクセスポイントと通信するように構成される；
前記少なくとも1つのプロセッサに結合されたメモリと；
を備えたステーション。
【請求項３】
前記少なくとも1つのプロセッサは、前記装置によって使用されるパケットタイプに基づいて前記装置の休止期間を決定するように構成された、請求項1または2に記載のステーション。
【請求項４】
前記少なくとも1つのプロセッサは、前記装置の休止および活性期間を前記アクセスポイントに伝えるように構成された、請求項1または2に記載のステーション。
【請求項５】
前記少なくとも1つのプロセッサは、省電力(PS)モードを使用して前記アクセスポイントのデータ配信時間の制御を得、前記装置の前記休止期間に前記アクセスポイントによるデータ配信を開始し、前記装置の活性期間に前記アクセスポイントによるデータ配信の開始を回避するように構成された、請求項1または2に記載のステーション。
【請求項６】
前記少なくとも1つのプロセッサは、前記装置の休止期間に前記アクセスポイントにポールフレームを送信し、前記休止期間にバッファーされたデータを前記アクセスポイントから回収するように構成された、請求項1または2に記載のステーション。
【請求項７】
前記少なくとも1つのプロセッサは、前記アクセスポイントと省電力(PS)モードで作動し、前記装置の休止期間に前記アクセスポイントにPSポールフレームを送信し、前記休止期間にバッファーされたデータを前記アクセスポイントから回収するように構成された、請求項1または2に記載のステーション。
【請求項８】
前記少なくとも1つのプロセッサは、前記装置の休止期間に前記アクセスポイントとのIEEE 802.11eで定義された不定期サービス期間を開始し、前記不定期サービス期間中に前記アクセスポイントとデータ交換するように構成された、請求項1または2に記載のステーション。
【請求項９】
前記少なくとも1つのプロセッサは、前記アクセスポイントと不定期自動省電力配信(APSD)モードで作動し、不定期のサービス期間を開始するために前記装置の休止期間に前記アクセスポイントにトリガーフレームを送信し、前記不定期のサービス期間中に前記アクセスポイントとデータ交換するように構成された、請求項1または2に記載のステーション。
【請求項１０】
前記少なくとも1つの条件は、データの周期性、前記アクセスポイントにおける前記ステーション宛てのデータの存在、前記ステーションにおける前記アクセスポイントへ送信するデータの存在、前記アクセスポイントから前記ステーションへ送信するデータの存在、前記装置によって使用されるパケットタイプ、前記装置の活動状態、あるいはこれらの組み合わせに関係する、請求項1または2に記載のステーション。
【請求項１１】
前記少なくとも1つのプロセッサは、前記装置の休止期間に前記アクセスポイントとのデータ交換を完了するだけの十分な時間が残っているかどうかを決定し、もし前記休止期間に十分な時間が残っているならば、前記アクセスポイントにフレームを送信するように構成された、請求項1または2に記載のステーション。
【請求項１２】
前記少なくとも1つのプロセッサは、前記装置の休止期間の開始時もしくは開始後にチャンネルアクセス手続きを実行し、前記チャンネルアクセス手続きの終了後に、前記休止期間の残りの間、前記アクセスポイントと通信するように構成された、請求項1または2に記載のステーション。
【請求項１３】
前記少なくとも1つのプロセッサは、前記装置の休止期間の開始に先立ってチャンネルアクセス手続きを実行し、もし前記チャンネルアクセス手続きが前記休止期間の開始に先立って完了するならば、前記アクセスポイントへのフレームの送信を前記休止期間の開始まで遅らせ、前記休止期間の残りの間、前記アクセスポイントと通信するように構成された、請求項1または2に記載のステーション。
【請求項１４】
前記少なくとも1つのプロセッサは、前記装置の休止期間に、前記アクセスポイントとのデータ交換を完了するだけの十分な期間が残っていない場合、前記アクセスポイントへのフレームの送信を差し控えるように構成された、請求項1または2に記載のステーション。
【請求項１５】
前記少なくとも1つのプロセッサは、リンクデータレート、アプリケーションデータレート、リンクパケットエラーレート、前記アクセスポイントについてのターンアラウンドタイム、あるいはその組み合わせの関数に基づいて、前記アクセスポイントへのフレーム送信の最も遅い開始時刻を決定するように構成された請求項14に記載のステーション。
【請求項１６】
前記少なくとも1つのプロセッサは、前記アクセスポイントから前記ステーションへフレームを送信するための最も遅い時間を示すサービングデッドラインを前記アクセスポイントに送るように構成された、請求項1または2に記載のステーション。
【請求項１７】
前記少なくとも1つのプロセッサは、前記装置の活動を示す情報を前記アクセスポイントに送信するように構成され、前記情報は、前記ステーションと前記アクセスポイントとの間のフローの残りの期間で使用される情報である、請求項1または2に記載のステーション。
【請求項１８】
前記少なくとも1つのプロセッサは、前記休止期間の終了に基づいて定義されたサービス持続期間を前記アクセスポイントに送信するように構成された、請求項8に記載のステーション。
【請求項１９】
IEEE 802.15標準のもとで動作する装置から前記装置のための送受信期間を示すステータス信号を受信することと、
前記ステータス信号に基づいて前記装置の休止期間を決定することと、
前記装置の休止期間に対して無線ローカルエリアネットワーク(WLAN)中のアクセスポイントと通信するためのトラヒックが前記休止期間内に制限されることを保証するように少なくとも1つの条件が満たされるかどうかを決定することと、
前記少なくとも1つの条件が満たされる場合に、前記装置の休止期間にIEEE 802.11標準における任意の省電力モードを使用して前記WLAN中のアクセスポイントと通信することと、
を備えた、ステーションの動作方法。
【請求項２０】
IEEE 802.15標準のもとで動作する装置から前記装置によって送信又は受信された伝送の検知を示す測定を得ることと、
前記測定に基づいて前記装置の休止期間を決定することと、
前記装置の休止期間に対して無線ローカルエリアネットワーク(WLAN)中のアクセスポイントと通信するためのトラヒックが前記休止期間内に制限されることを保証するように少なくとも1つの条件が満たされるかどうかを決定することと、
前記少なくとも1つの条件が満たされる場合に、前記装置の休止期間にIEEE 802.11標準における任意の省電力モードを使用して前記装置の休止期間に前記WLAN中のアクセスポイントと通信することと、
を備えた、ステーションの動作方法。
【請求項２１】
前記アクセスポイントと通信することは、
前記アクセスポイントと省電力(PS)モードで作動することと、
前記装置の休止期間に前記アクセスポイントにPSポールフレームを送信することと、
前記休止期間に前記アクセスポイントからバッファーされたデータを回収することと、
を備えた、請求項19または20に記載の方法。
【請求項２２】
前記アクセスポイントと通信することは、
前記アクセスポイントと不定期自動省電力配信(APSD)モードで作動することと、
不定期サービス期間を開始するために前記装置の休止期間に前記アクセスポイントにトリガーフレームを送信することと、
前記不定期サービス期間中に前記アクセスポイントとデータ交換することと、
を備えた、請求項19または20に記載の方法。
【請求項２３】
前記アクセスポイントと通信することは、
前記装置の休止期間にチャンネルアクセス手続きを実行することと、
もし前記チャンネルアクセス手続きが前記休止期間の開始に先立って完了するならば、前記アクセスポイントへのフレームの送信を前記休止期間の開始まで遅らせることと、
前記休止期間の残りの間、前記アクセスポイントと通信することと、
を備えた、請求項19または20に記載の方法。
【請求項２４】
IEEE 802.15標準のもとで動作する装置から前記装置のための送受信期間を示すステータス信号を受信する手段と、
前記ステータス信号に基づいて前記装置の休止期間を決定する手段と、
前記装置の休止期間に対して無線ローカルエリアネットワーク(WLAN)中のアクセスポイントと通信するためのトラヒックが前記休止期間内に制限されることを保証するように少なくとも1つの条件が満たされるかどうかを決定する手段と、
前記少なくとも1つの条件が満たされる場合に、IEEE 802.11標準における任意の省電力モードを使用して前記装置の休止期間に前記WLAN中のアクセスポイントと通信する手段と、
を備えた装置。
【請求項２５】
IEEE 802.15標準のもとで動作する装置から前記装置によって送信又は受信された伝送の検知を示す測定を得る手段と、
前記測定に基づいて前記装置の休止期間を決定する手段と、
前記装置の休止期間に対して無線ローカルエリアネットワーク(WLAN)中のアクセスポイントと通信するためのトラヒックが前記休止期間内に制限されることを保証するように少なくとも1つの条件が満たされるかどうかを決定する手段と、
前記少なくとも1つの条件が満たされる場合に、IEEE 802.11標準における任意の省電力モードを使用して前記装置の休止期間に前記WLAN中のアクセスポイントと通信する手段と、
を備えた装置。
【請求項２６】
前記アクセスポイントと通信する手段は、
前記アクセスポイントと省電力(PS)モードで作動する手段と、
前記装置の休止期間に前記アクセスポイントへPSポールフレームを送信する手段と、
前記休止期間に前記アクセスポイントからバッファーされたデータを回収する手段と、
を備えた、請求項24または25に記載の装置。
【請求項２７】
前記アクセスポイントと通信する手段は、
前記アクセスポイントと不定期自動省電力配信(APSD)モードで作動する手段と、
不定期サービス期間を開始するために前記装置の休止期間に前記アクセスポイントにトリガーフレームを送信する手段と、
前記不定期サービス期間中に前記アクセスポイントとデータ交換する手段と、
を備えた、請求項24または25に記載の装置。
【請求項２８】
前記アクセスポイントと通信する手段は、
前記装置の休止期間にチャンネルアクセス手続きを実行する手段と、
もし前記チャンネルアクセス手続きが前記休止期間の開始に先立って完了するならば、前記アクセスポイントへのフレームの送信を前記休止期間の開始まで遅らせる手段と、
前記休止期間の残りの間、前記アクセスポイントと通信する手段と、
を備えた、請求項24または25に記載の装置。
【請求項２９】
命令が格納されたコンピュータ可読記録媒体であって、
IEEE 802.15標準のもとで動作する装置から前記装置のための送受信期間を示すステータス信号を受信するための第1の命令セットと、
前記ステータス信号に基づいて前記装置の休止期間を決定するための第2の命令セットと、
前記装置の休止期間に対して無線ローカルエリアネットワーク(WLAN)中のアクセスポイントと通信するためのトラヒックが前記休止期間内に制限されることを保証するように少なくとも1つの条件が満たされるかどうかを決定するための第3の命令セットと、
前記少なくとも1つの条件が満たされる場合に、IEEE 802.11標準における任意の省電力モードを使用して前記装置の休止期間に前記WLAN中のアクセスポイントとの通信を指示するための第4の命令セットと、
を備えた、コンピュータ可読記録媒体。
【請求項３０】
命令が格納されたコンピュータ可読記録媒体であって、
IEEE 802.15標準のもとで動作する装置から前記装置によって送信又は受信された伝送の検知を示す測定を得るための第1の命令セットと、
前記測定に基づいて前記装置の休止期間を決定するための第2の命令セットと、
前記装置の休止期間に対して無線ローカルエリアネットワーク(WLAN)中のアクセスポイントと通信するためのトラヒックが前記休止期間内に制限されることを保証するように少なくとも1つの条件が満たされるかどうかを決定するための第3の命令セットと、
前記少なくとも1つの条件が満たされる場合に、IEEE 802.11標準における任意の省電力モードを使用して前記装置の休止期間に前記WLAN中のアクセスポイントとの通信を指示するための第4の命令セットと、
を備えた、コンピュータ可読記録媒体。
【請求項３１】
前記第２の命令セットは、
前記アクセスポイントと省電力(PS)モードで作動するための命令セットと、
前記装置の休止期間に前記アクセスポイントへPSポールフレームを送信するための命令セットと、
前記休止期間に前記アクセスポイントからバッファーされたデータを回収するための命令セットと、
を備えた、請求項29または30に記載のコンピュータ可読記録媒体。
【請求項３２】
前記第２の命令セットは、
前記アクセスポイントと不定期自動省電力配信(APSD)モードで作動するための命令セットと、
不定期サービス期間を開始するために前記Bluetooth装置の休止期間に前記アクセスポイントにトリガーフレームを送信するための命令セットと、
前記不定期サービス期間中に前記アクセスポイントとのデータ交換を指示するための命令セットと、
を備えた、請求項29または30に記載のコンピュータ可読記録媒体。
【請求項３３】
前記第２の命令セットは、
前記装置の休止期間にチャンネルアクセス手続きを実行するための命令セットと、
もし前記チャンネルアクセス手続きが前記休止期間の開始に先立って完了するならば、前記アクセスポイントへのフレームの送信を前記休止期間の開始まで遅らせための命令セットと、
前記休止期間の残りの間、前記アクセスポイントと通信するための命令セットと、
を備えた、請求項29または30に記載のコンピュータ可読記録媒体。
【請求項３４】
第１の通信プロトコルに従って動作する第１の装置から、前記装置のための送受信期間を示すステータス信号を受信し、
前記ステータス信号に基づいて前記第１の装置の休止期間を決定し、
前記休止期間に対して第２の装置との通信のためのトラヒックが前記休止期間内に制限されることを保証するように少なくとも1つの条件が満たされるかどうかを決定し、
前記少なくとも1つの条件が満たされる場合に、前記第１の装置の前記休止期間を第２の装置に伝送し、IEEE 802.11標準における任意の省電力モードを使用して前記第１の装置の前記休止期間に第２の通信プロトコルに従って作動する前記第２の装置による通信を可能にする、
ように構成された少なくとも1つのプロセッサと、
前記少なくとも1つのプロセッサに結合されたメモリと、
を備えたステーション。
【請求項３５】
前記第１の装置はIEEE 802.15標準のもとで動作する装置で、前記第２の装置は無線ローカルエリアネットワーク(WLAN)装置である、請求項34に記載のステーション。
【請求項３６】
前記第１の装置はグローバル移動体通信システム(GSM)装置で、前記第２の装置は無線ローカルエリアネットワーク(WLAN)装置である、請求項34に記載のステーション。
【請求項３７】
前記第１及び第２の通信プロトコルは時分割多重（ＴＤＭ）である、請求項34に記載のステーション。